(57)【要約】【課題】商品の供給者が、効果的な出品を行うための有用な情報を効率良く得る。【解決手段】商品情報提供システム１０は、供給者に関連付けて、当該供給者が取り扱う商品の属性を特定した第１条件を記憶する供給者情報記憶部１５と、供給者に関連付けて、当該供給者が出品する商品の情報を記憶する出品情報記憶部１６と、需要者から受け付けた商品の検索条件に基づいて、出品情報記憶部１６から商品を検索する検索部１７と、検索部１７による検索結果の中に需要者が購入を希望する商品が含まれていない場合に、需要者が購入を希望する商品の属性を特定した第２条件を登録する登録部１９と、供給者情報記憶部１５から第２条件に適合する第１条件が関連付けられた供給者を抽出する抽出部２０と、抽出部２０により抽出した供給者に対して、第２条件に基づいて商品の出品を案内するための出品案内情報を通知する通知部２１と、を有する。【選択図】図１６
2019003376.tif 000002
【特許請求の範囲】
【請求項１】
商品の供給者に対して、需要者が購入を希望する商品の情報を提供する商品情報提供システムであって、
１以上の前記供給者のそれぞれに関連付けて、当該供給者が取り扱う商品の属性を特定した第１条件を記憶する供給者情報記憶部と、
前記１以上の前記供給者のそれぞれに関連付けて、当該供給者が出品する商品の情報を記憶する出品情報記憶部と、
前記需要者から受け付けた商品の検索条件に基づいて、前記出品情報記憶部から商品を検索する検索部と、
前記検索部による検索結果の中に前記需要者が購入を希望する商品が含まれていない場合に、前記需要者が購入を希望する商品の属性を特定した第２条件を登録する登録部と、
前記供給者情報記憶部から前記第２条件に適合する前記第１条件が関連付けられた供給者を抽出する抽出部と、
前記抽出部により抽出した供給者に対して、前記第２条件に基づいて商品の出品を案内するための出品案内情報を通知する通知部と、を有することを特徴とする商品情報提供システム。
【請求項２】
前記検索結果の提示後に、前記需要者の操作に基づいて前記第２条件の登録要求を受け付ける受付部をさらに有し、
前記第２条件は、前記検索条件を含むことを特徴とする請求項１に記載の商品情報提供システム。
【請求項３】
前記受付部は、前記検索条件に追加する追加条件の設定をさらに受け付け、
前記第２条件は、前記検索条件と前記追加条件に基づいて設定されることを特徴とする請求項２に記載の商品情報提供システム。
【請求項４】
前記登録部は、前記検索条件に該当する商品が無かった場合に、前記検索条件を前記第２条件として登録することを特徴とする請求項１に記載の商品情報提供システム。
【請求項５】
前記抽出部は、前記検索条件を包含する前記第１条件が関連付けられた供給者を抽出することを特徴とする請求項１乃至４のいずれかに記載の商品情報提供システム。
【請求項６】
前記第２条件を満足する商品が前記出品情報記憶部に登録された場合に、前記需要者に前記第２条件を満足する商品の情報を提供する出品情報提供部をさらに有することを特徴とする請求項１乃至５のいずれかに記載の商品情報提供システム。
【請求項７】
商品の供給者に対して、需要者が購入を希望する商品の情報を提供する商品情報提供システムによる商品情報提供方法であって、
前記商品情報提供システムは、
１以上の前記供給者のそれぞれに関連付けて、当該供給者が取り扱う商品の属性を特定した第１条件を記憶する供給者情報記憶部と、
前記１以上の前記供給者のそれぞれに関連付けて、当該供給者が出品する商品の情報を記憶する出品情報記憶部と、を有し、
前記商品情報提供システムが、
前記需要者から受け付けた商品の検索条件に基づいて、前記出品情報記憶部から商品を検索する検索工程と、
前記検索工程による検索結果の中に前記需要者が購入を希望する商品が含まれていない場合に、前記需要者が購入を希望する商品の属性を特定した第２条件を登録する登録工程と、
前記供給者情報記憶部から前記第２条件に適合する前記第１条件が関連付けられた供給者を抽出する抽出工程と、
前記抽出工程により抽出した供給者に対して、前記第２条件に基づいて商品の出品を案内するための出品案内情報を通知する通知工程と、を有することを特徴とする商品情報提供方法。
【請求項８】
商品の供給者に対して、需要者が購入を希望する商品の情報を提供する商品情報提供システムとしてのコンピュータを、
１以上の前記供給者のそれぞれに関連付けて、当該供給者が取り扱う商品の属性を特定した第１条件を記憶する供給者情報記憶部と、
前記１以上の前記供給者のそれぞれに関連付けて、当該供給者が出品する商品の情報を記憶する出品情報記憶部と、
前記需要者から受け付けた商品の検索条件に基づいて、前記出品情報記憶部から商品を検索する検索部と、
前記検索部による検索結果の中に前記需要者が購入を希望する商品が含まれていない場合に、前記需要者が購入を希望する商品の属性を特定した第２条件を登録する登録部と、
前記供給者情報記憶部から前記第２条件に適合する前記第１条件が関連付けられた供給者を抽出する抽出部と、
前記抽出部により抽出した供給者に対して、前記第２条件に基づいて商品の出品を案内するための出品案内情報を通知する通知部として機能させるための商品情報提供プログラム。
【発明の詳細な説明】
【技術分野】
【０００１】
本発明は、需要者が購入を希望する商品の情報を、商品の供給者に提供することができる商品情報提供システム、商品情報提供方法及び商品情報提供プログラムに関する。
【背景技術】
【０００２】
オークションや商品販売用のウェブサイトにおいて、供給者が出品した商品を、需要者が購入可能とした電子商取引システムが知られている。
こうした電子商取引システムにおいては、需要者が購入を希望する商品が必ずしも出品されていないことがある。
【０００３】
これに対し、特許文献１には、需要者が購入を希望する商品の情報を事前登録しておき、事前登録された情報に基づいて供給者が商品を出品可能としたシステムが開示されている。
【先行技術文献】
【特許文献】
【０００４】
【特許文献１】特開２００２−２４６１９号公報
【発明の概要】
【発明が解決しようとする課題】
【０００５】
しかしながら、電子商取引システムの利用者数が膨大である場合には、それぞれの需要者が購入を希望する商品の情報から、供給者が出品可能な商品を見つけ出すことは容易ではない。このように、膨大な量の情報の中から、それぞれの供給者にとって効果的な出品を行うための有用な情報を提供することが課題となっている。
【０００６】
本発明は、上記の課題に鑑みてなされたものであり、その目的は、商品の供給者にとって、効果的な出品を行うための有用な情報を効率良く得ることができる商品情報提供システム、商品情報提供方法及び商品情報提供プログラムを提供することにある。
【課題を解決するための手段】
【０００７】
上記の課題は、本発明に係る商品情報提供システムによれば、商品の供給者に対して、需要者が購入を希望する商品の情報を提供する商品情報提供システムであって、１以上の前記供給者のそれぞれに関連付けて、当該供給者が取り扱う商品の属性を特定した第１条件を記憶する供給者情報記憶部と、前記１以上の前記供給者のそれぞれに関連付けて、当該供給者が出品する商品の情報を記憶する出品情報記憶部と、前記需要者から受け付けた商品の検索条件に基づいて、前記出品情報記憶部から商品を検索する検索部と、前記検索部による検索結果の中に前記需要者が購入を希望する商品が含まれていない場合に、前記需要者が購入を希望する商品の属性を特定した第２条件を登録する登録部と、前記供給者情報記憶部から前記第２条件に適合する前記第１条件が関連付けられた供給者を抽出する抽出部と、前記抽出部により抽出した供給者に対して、前記第２条件に基づいて商品の出品を案内するための出品案内情報を通知する通知部と、を有することにより解決される。
【０００８】
また、上記課題は、本発明に係る商品情報提供方法によれば、商品の供給者に対して、需要者が購入を希望する商品の情報を提供する商品情報提供システムによる商品情報提供方法であって、前記商品情報提供システムは、１以上の前記供給者のそれぞれに関連付けて、当該供給者が取り扱う商品の属性を特定した第１条件を記憶する供給者情報記憶部と、前記１以上の前記供給者のそれぞれに関連付けて、当該供給者が出品する商品の情報を記憶する出品情報記憶部と、を有し、前記商品情報提供システムが、前記需要者から受け付けた商品の検索条件に基づいて、前記出品情報記憶部から商品を検索する検索工程と、前記検索工程による検索結果の中に前記需要者が購入を希望する商品が含まれていない場合に、前記需要者が購入を希望する商品の属性を特定した第２条件を登録する登録工程と、前記供給者情報記憶部から前記第２条件に適合する前記第１条件が関連付けられた供給者を抽出する抽出工程と、前記抽出工程により抽出した供給者に対して、前記第２条件に基づいて商品の出品を案内するための出品案内情報を通知する通知工程と、を有することにより解決される。
【０００９】
また、上記課題は、本発明に係る商品情報提供プログラムによれば、商品の供給者に対して、需要者が購入を希望する商品の情報を提供する商品情報提供システムとしてのコンピュータを、１以上の前記供給者のそれぞれに関連付けて、当該供給者が取り扱う商品の属性を特定した第１条件を記憶する供給者情報記憶部と、前記１以上の前記供給者のそれぞれに関連付けて、当該供給者が出品する商品の情報を記憶する出品情報記憶部と、前記需要者から受け付けた商品の検索条件に基づいて、前記出品情報記憶部から商品を検索する検索部と、前記検索部による検索結果の中に前記需要者が購入を希望する商品が含まれていない場合に、前記需要者が購入を希望する商品の属性を特定した第２条件を登録する登録部と、前記供給者情報記憶部から前記第２条件に適合する前記第１条件が関連付けられた供給者を抽出する抽出部と、前記抽出部により抽出した供給者に対して、前記第２条件に基づいて商品の出品を案内するための出品案内情報を通知する通知部として機能させることにより解決される。
【００１０】
本発明に係る商品情報提供システム、商品情報提供方法及び商品情報提供プログラムによれば、需要者が購入を希望している商品の出品を案内する出品案内情報を、当該商品を取り扱う供給者に対して提供することができる。
これにより、需要者にとっては、購入を希望している商品がその後出品され易くなることで、希望の商品を入手できる可能性が向上する。
また、商品の供給者にとっては、取扱対象の商品のうちで需要のある商品を知ることができ、効果的な出品を行うことが可能となる。
【００１１】
また、上記の商品情報提供システムにおいて、前記検索結果の提示後に、前記需要者の操作に基づいて前記第２条件の登録要求を受け付ける受付部をさらに有し、前記第２条件は、前記検索条件を含むと好適である。
こうすることで、需要者が設定した検索条件に基づく商品の検索結果の中に、需要者が購入を希望する商品が含まれているか否かを精度良く判定できる。
また、需要者の設定した検索条件を満足する商品の出品を案内するための出品案内情報を、その商品を取り扱う供給者に対して提供することができる。
【００１２】
また、上記の商品情報提供システムにおいて、前記受付部は、前記検索条件に追加する追加条件の設定をさらに受け付け、前記第２条件は、前記検索条件と前記追加条件に基づいて設定されると好適である。
このように、検索条件に条件を加えて第２条件を設定可能とすることで、需要者にとっては、購入を希望する商品をより詳細に特定することができる。供給者にとっては、需要者が購入を希望する商品の条件をより詳細に把握することができる。
【００１３】
また、上記の商品情報提供システムにおいて、前記登録部は、前記検索条件に該当する商品が無かった場合に、前記検索条件を前記第２条件として登録すると好適である。
こうすることで、需要者が購入を希望する商品が出品されていない場合に、その商品の出品を案内するための出品案内情報を、その商品を取り扱う可能性のある供給者に対して提供することができる。
【００１４】
また、上記の商品情報提供システムにおいて、前記抽出部は、前記検索条件を包含する前記第１条件が関連付けられた供給者を抽出すると好適である。
こうすることで、需要者が検索する商品を取り扱う可能性のある供給者に対して、その商品の出品を案内するための出品案内情報を提供できる。
【００１５】
また、上記の商品情報提供システムにおいて、前記第２条件を満足する商品が前記出品情報記憶部に登録された場合に、前記需要者に前記第２条件を満足する商品の情報を提供する出品情報提供部をさらに有すると好適である。
こうすることで、需要者が購入を希望する商品が、供給者から出品された場合に、その旨を需要者に知らせることができる。これにより、需要者は、購入を希望する商品が出品されたことを即時に知ることができる。
【発明の効果】
【００１６】
本発明によれば、商品の供給者にとって、効果的な出品を行うための有用な情報を効率良く得ることができる。
【図面の簡単な説明】
【００１７】
【図１】商品販売システムの全体構成図である。
【図２】出品登録テーブルの一例を示す図である。
【図３】取扱商品登録テーブルの一例を示す図である。
【図４】希望商品登録テーブルの一例を示す図である。
【図５】商品販売システムを構成するデバイスのハードウェア構成を示す図である。
【図６】供給者用メニュー画面の一例を示す図である。
【図７】取扱商品条件設定画面の一例を示す図である。
【図８】需要者用メニュー画面の一例を示す図である。
【図９】商品検索画面の一例を示す図である。
【図１０】検索結果表示画面の一例を示す図である。
【図１１】購入希望商品の条件登録画面の一例を示す図である。
【図１２】出品案内画面の一例を示す図である。
【図１３】出品登録画面の一例を示す図である。
【図１４】出品状況確認画面の一例を示す図である。
【図１５】商品情報表示画面の一例を示す図である。
【図１６】商品情報提供システムに備えられる機能を示す図である。
【図１７】供給者の取扱商品情報の登録処理のシーケンス図である。
【図１８】商品検索処理のシーケンス図である。
【図１９】購入希望商品の登録処理のシーケンス図である。
【図２０】出品案内処理及び出品登録処理のシーケンス図である。
【図２１】出品状況確認処理のシーケンス図である。
【発明を実施するための形態】
【００１８】
以下、図１乃至図２１を参照しながら、本発明の一実施形態（本実施形態）に係る商品情報提供システム１０を含む商品販売システム１について説明する。なお、以下に説明する実施形態は、本発明の理解を容易にするための一例であり、本発明を限定するものではない。すなわち、本発明は、その趣旨を逸脱することなく、変更、改良され得るとともに、本発明にはその等価物が含まれることは勿論である。
【００１９】
［商品販売システム１のシステム構成］
商品販売システム１は、商品情報提供システム１０と、需要者端末３０と、供給者端末５０を備える。商品情報提供システム１０は、需要者端末３０と供給者端末５０と通信可能に接続される。
なお、本実施形態では、商品販売システム１には、１つの需要者端末３０と、複数の供給者端末５０が含まれる例について説明する。しかしながら、商品販売システム１には、需要者端末３０と、供給者端末５０の台数は本実施形態の例に限定されない。
また、本実施形態では、商品販売システム１を介して取引される商品が車両の部品（特に車両のリサイクル部品）である場合を例として説明するが、商品はこれに限られない。
【００２０】
供給者端末５０は、商品を販売する供給者ＵＡにより操作されるコンピュータである。例えば、商品が車両のリサイクル部品である場合には、車両の解体業者等のリサイクル業者の使用者、従業員等が供給者ＵＡに相当する。
【００２１】
需要者端末３０は、商品を購入する需要者ＵＢにより操作されるコンピュータである。例えば、商品が車両のリサイクル部品である場合には、車両の整備工場、車両の修理業者等の使用者、従業員等が需要者ＵＢに相当する。
【００２２】
商品情報提供システム１０は、供給者ＵＡの操作する供給者端末５０から受け付けた供給者ＵＡの出品する商品の情報を、需要者ＵＢの操作する需要者端末３０に提供し、供給者ＵＡと需要者ＵＢとの間の商取引を仲介するコンピュータである。
なお、上記の商取引は、商品を供給者ＵＡから需要者ＵＢに直接販売するものであってもよいし、供給者ＵＡが出品した商品を１以上の需要者ＵＢで入札（オークション）するものであってもよい。
【００２３】
また、本実施形態に係る商品情報提供システム１０は、出品データベースＤ１、供給者データベースＤ２、希望商品データベースＤ３等の各種データベースを有する。
【００２４】
出品データベースＤ１は、供給者ＵＡが商品情報提供システム１０に出品登録した商品の情報を格納するデータベースである。
【００２５】
図２には、出品データベースＤ１に記憶される出品登録テーブルＴ１の一例を示した。図２に示されるように、出品登録テーブルＴ１には、出品された商品を識別する出品ＩＤ、出品者としての供給者を識別する供給者ＩＤ、出品日時、商品情報が関連付けて記憶される。なお、商品が車両の部品である場合には、商品情報には、例えば車両のメーカ名称、車種名称、類別型式等の各種情報が含まれる。
【００２６】
供給者データベースＤ２は、供給者が取り扱う商品の情報を格納するデータベースである。
【００２７】
図３には、供給者データベースＤ２に記憶される取扱商品登録テーブルＴ２の一例を示した。図３に示されるように、取扱商品登録テーブルＴ２は、供給者を識別する供給者ＩＤ、供給者の名称、登録情報（第１条件）が関連付けて記憶される。
登録情報（第１条件）とは、供給者が取り扱う商品の条件を指定したものである。登録情報は、供給者ごとに任意に設定されることとしてよい。
なお、取扱商品登録テーブルＴ２は、商品情報提供システム１０が供給者端末５０から受信する情報に基づいて、供給者ごとに生成される。
【００２８】
希望商品データベースＤ３には、需要者が購入を希望する商品の情報を格納するデータベースである。
【００２９】
図４には、希望商品データベースＤ３に記憶される希望商品登録テーブルＴ３の一例を示した。図４に示されるように、希望商品登録テーブルＴ３には、需要者を識別する需要者ＩＤ、需要者の名称、レコード（情報）の登録日、希望商品条件（第２条件）が関連付けて記憶される。
希望商品条件（第２条件）とは、需要者が購入を希望する商品の条件を指定したものである。希望商品条件は、需要者ごとに任意に設定されることとしてよい。
なお、希望商品登録テーブルＴ３は、商品情報提供システム１０が需要者端末３０から受信する情報に基づいて、生成される。
【００３０】
［商品販売システム１のハードウェア構成］
図５には、商品販売システム１の商品情報提供システム１０、需要者端末３０及び供給者端末５０のハードウェア構成を示した。なお、図５に示した商品情報提供システム１０、需要者端末３０及び供給者端末５０のハードウェア構成は一例であって、これに限定されない。
【００３１】
商品情報提供システム１０は、プロセッサ１１、記憶装置１２、通信用インターフェース１３を備えるコンピュータである。
【００３２】
プロセッサ１１は、プログラムに記述された命令セットを実行するためのハードウェア（例えばＣＰＵ）である。そして、プロセッサ１１は、記憶装置１２に記憶されるプログラムやデータに基づいて各種の演算処理を実行するとともに、商品情報提供システム１０の各部を制御する。
【００３３】
記憶装置１２は、例えばメモリ、磁気ディスク装置を含み構成され、各種のプログラムやデータを記憶する。一例としては、記憶装置１２には、出品データベースＤ１、供給者データベースＤ２、希望商品データベースＤ３のデータが記憶される。また、記憶装置１２は、プロセッサ１１のワークメモリとしても用いられる。なお、プロセッサ１１には、フラッシュメモリ、光学ディスク等の情報記憶媒体が含まれていてもよい。
【００３４】
通信用インターフェース１３は、例えばネットワークインターフェースカードを含み構成され、インターネットやイントラネット等の通信網を経由して、需要者端末３０及び供給者端末５０等のコンピュータと通信する。
【００３５】
需要者端末３０は、プロセッサ３１、記憶装置３２、通信用インターフェース３３、入力装置３４、表示装置３５を備える。なお、入力装置３４及び表示装置３５は需要者端末３０の外部装置として設けられていてもよい。
【００３６】
プロセッサ３１は、プログラムに記述された命令セットを実行するためのハードウェア（例えばＣＰＵ）である。そして、プロセッサ３１は、記憶装置３２に記憶されるプログラムやデータに基づいて各種の演算処理を実行するとともに、需要者端末３０の各部を制御する。
【００３７】
記憶装置３２は、例えばメモリ、磁気ディスク装置を含み構成され、各種のプログラムやデータを記憶するほか、プロセッサ３１のワークメモリとしても機能する。なお、記憶装置３２には、フラッシュメモリ、光学ディスク等の情報記憶媒体が含まれていてもよい。
【００３８】
通信用インターフェース３３は、例えばネットワークインターフェースカードを含み構成され、インターネットやイントラネット等の通信網を経由して、商品情報提供システム１０等のコンピュータと通信する。
【００３９】
入力装置３４は、例えばタッチパネル、キーボード、マウス等を含み構成され、ユーザーからの入力を受け付ける。
【００４０】
表示装置３５は、例えば液晶ディスプレイ装置、有機ＥＬディスプレイ装置等を含み構成され、プロセッサ３１により生成されるグラフィックデータに基づく画面を出力する。
例えば、後述する図８乃至図１１、図１４、図１５に示す画面が、表示装置３５に表示される画面の一例となる。
【００４１】
供給者端末５０は、プロセッサ５１、記憶装置５２、通信用インターフェース５３、入力装置５４、表示装置５５を備える。なお、入力装置５４及び表示装置５５は供給者端末５０の外部装置として設けられていてもよい。
【００４２】
プロセッサ５１は、プログラムに記述された命令セットを実行するためのハードウェア（例えばＣＰＵ）である。そして、プロセッサ５１は、記憶装置５２に記憶されるプログラムやデータに基づいて各種の演算処理を実行するとともに、供給者端末５０の各部を制御する。
【００４３】
記憶装置５２は、例えばメモリ、磁気ディスク装置を含み構成され、各種のプログラムやデータを記憶するほか、プロセッサ５１のワークメモリとしても機能する。なお、記憶装置５２には、フラッシュメモリ、光学ディスク等の情報記憶媒体が含まれていてもよい。
【００４４】
通信用インターフェース５３は、例えばネットワークインターフェースカードを含み構成され、インターネットやイントラネット等の通信網を経由して、商品情報提供システム１０等のコンピュータと通信する。
【００４５】
入力装置５４は、例えばタッチパネル、キーボード、マウス等を含み構成され、ユーザーからの入力を受け付ける。
【００４６】
表示装置５５は、例えば液晶ディスプレイ装置、有機ＥＬディスプレイ装置等を含み構成され、プロセッサ５１により生成されるグラフィックデータに基づく画面を出力する。
例えば、後述する図６、図７、図１２、図１３に示す画面が、表示装置５５に表示される画面の一例となる。
【００４７】
［商品販売システム１による処理の概要］
次に、図６乃至図１５の画面例を参照しながら、商品販売システム１による処理の概要について説明する。
【００４８】
まず、図６及び図７に基づいて、供給者ＵＡの情報を商品情報提供システム１０に登録する処理について説明する。
【００４９】
供給者端末５０は、商品情報提供システム１０にログインすると、供給者端末５０の表示装置５５には、図６に示す供給者用メニュー画面Ｗ１１が表示される。
【００５０】
図６に示されるように、供給者用メニュー画面Ｗ１１には、取扱商品の設定アイコン１１１、出品案内情報の表示アイコン１１２、出品登録アイコン１１３、及びログアウトボタン１１４が含まれる。
【００５１】
取扱商品の設定アイコン１１１は、供給者ＵＡの取扱商品の情報を設定する処理を開始するためのオブジェクトである。
出品案内情報の表示アイコン１１２は、供給者ＵＡに対し、需要者ＵＢが購入を希望する商品の情報を表示する処理を開始するためのオブジェクトである。
出品登録アイコン１１３は、供給者ＵＡが出品する商品を登録する処理を開始するためのオブジェクトである。
ログアウトボタン１１４は、商品情報提供システム１０からログアウトするためのオブジェクトである。
【００５２】
ここで、供給者用メニュー画面Ｗ１１の取扱商品の設定アイコン１１１が選択されると、供給者端末５０の表示装置５５には、図７に示す取扱商品条件設定画面Ｗ１２が表示される。
【００５３】
図７に示されるように、取扱商品条件設定画面Ｗ１２には、ログアウトボタン１２１、情報入力欄１２２、決定ボタン１２３、キャンセルボタン１２４が含まれる。
ログアウトボタン１２１は、商品情報提供システム１０からログアウトするためのオブジェクトである。
【００５４】
情報入力欄１２２は、供給者ＵＡの取扱商品を特定するための情報（第１条件）を入力する入力欄である。第１条件とは、商品の属性について指定した条件である。すなわち、第１条件を満足する商品が、供給者ＵＡの取扱商品である。なお、後述するように、第１条件とは、供給者ＵＡが商品情報提供システム１０から出品の案内の通知を受ける対象となる商品の条件を定めたものでもある。
情報入力欄１２２は、商品の複数の属性にそれぞれ対応した第１入力欄１２２−１、第２入力欄１２２−２、第３入力欄１２２−３等の複数の入力欄を有する。
【００５５】
決定ボタン１２３は、情報入力欄１２２に入力した第１条件を商品情報提供システム１０に登録する処理を実行させるためのオブジェクトである。
キャンセルボタン１２４は、取扱商品の設定処理を中止させるためのオブジェクトである。
【００５６】
ここで、供給者端末５０への操作により、取扱商品条件設定画面Ｗ１２の決定ボタン１２３が押下されると、取扱商品条件設定画面Ｗ１２の情報入力欄１２２に入力された取扱商品の条件（第１条件）が、供給者端末５０から商品情報提供システム１０に対して送信される。
【００５７】
商品情報提供システム１０は、供給者端末５０から受信した第１条件を、供給者の識別情報（ＩＤ）に関連付けて取扱商品登録テーブルＴ２に記憶する。
【００５８】
次に、図８乃至図１１に基づいて、需要者側の商品検索及び購入希望商品の登録処理について説明する。
【００５９】
需要者端末３０は、商品情報提供システム１０にログインすると、需要者端末３０の表示装置３５には、図８に示す需要者用メニュー画面Ｗ２１が表示される。
【００６０】
図８に示されるように、需要者用メニュー画面Ｗ２１には、部品検索アイコン２１１、確認アイコン２１２及びログアウトボタン２１３が含まれる。
【００６１】
部品検索アイコン２１１は、商品情報提供システム１０に出品登録された商品の中から商品を検索する処理を開始するためのオブジェクトである。
確認アイコン２１２は、需要者ＵＢが購入希望の商品として登録した条件（第２条件）に合致する商品の出品状況を確認する処理を開始するためのオブジェクトである。
ログアウトボタン２１３は、商品情報提供システム１０からログアウトするためのオブジェクトである。
【００６２】
ここで、需要者端末３０への操作により、需要者用メニュー画面Ｗ２１の部品検索アイコン２１１が押下されると、需要者端末３０の表示装置３５には、図９に示す商品検索画面Ｗ２２が表示される。
【００６３】
図９に示されるように、商品検索画面Ｗ２２には、情報入力欄２２１、決定ボタン２２２、及び戻るボタン２２３が含まれる。
【００６４】
情報入力欄２２１は、商品の属性を指定した検索条件を入力するための入力欄である。例えば、情報入力欄２２１には、商品の複数の属性のそれぞれについての値を指定する複数の入力欄が含まれる。
決定ボタン２２２は、情報入力欄２２１に入力した検索条件に基づく商品の検索を、商品情報提供システム１０に実行させるためのオブジェクトである。
戻るボタン２２３は、前の画面（需要者用メニュー画面Ｗ２１）に戻るためのオブジェクトである。
【００６５】
ここで、需要者端末３０への操作により、商品検索画面Ｗ２２の決定ボタン２２２が押下されると、商品検索画面Ｗ２２の情報入力欄２２１で入力された検索条件が、需要者端末３０から商品情報提供システム１０に対して送信される。
【００６６】
商品情報提供システム１０は、需要者端末３０から受信した検索条件に基づき出品データベースＤ１の中から該当する商品（車両部品）を検索し、検索結果を表示するための画面データを需要者端末３０に送信する。
【００６７】
需要者端末３０は、上記の画面データを受信すると、表示装置３５に図１０に示す検索結果表示画面Ｗ２３を表示する。
【００６８】
図１０に示されるように、検索結果表示画面Ｗ２３には、検索条件表示欄２３１、検索結果表示欄２３２、登録ボタン２３３及び戻るボタン２３４が含まれる。
【００６９】
検索条件表示欄２３１は、検索処理に係る検索条件を表示するための表示欄である。
検索結果表示欄２３２は、検索条件に基づいて検索された商品を表示するための表示欄である。
登録ボタン２３３は、需要者ＵＢが購入を希望する商品の条件を登録する処理を開始するためのオブジェクトである。例えば、検索結果表示欄２３２の検索結果が０件である場合や、検索結果表示欄２３２に表示された検索結果の中に需要者ＵＢが所望する商品がない場合には、需要者ＵＢは、登録ボタン２３３を押下操作する。これにより、需要者ＵＢは、購入を希望する商品の条件の登録に進むことができる。なお、この購入希望商品の登録処理の詳細については後述する。
戻るボタン２３４は、前の画面（商品検索画面Ｗ２２）に戻るためのオブジェクトである。
【００７０】
ここで、需要者端末３０への操作により、検索結果表示画面Ｗ２３の登録ボタン２３３が押下されると、需要者端末３０の表示装置３５には、図１１に示す購入希望商品の条件登録画面Ｗ２４が表示される。
【００７１】
図１１に示されるように、購入希望商品の条件登録画面Ｗ２４には、条件入力欄２４１、登録ボタン２４４、戻るボタン２４５が含まれる。
【００７２】
条件入力欄２４１は、需要者ＵＢが購入を希望する商品の条件（第２条件）を入力するための入力欄である。本実施形態では、第２条件は、検索条件と追加条件とからなる。これにより、条件入力欄２４１は、検索条件を表示する検索条件表示欄２４２と、追加条件を入力する追加条件入力欄２４３とからなっている。なお、追加条件に情報を入力しない場合には、第２条件は、検索条件と一致する。
【００７３】
登録ボタン２４４は、条件入力欄２４１に入力した第２条件を商品情報提供システム１０に登録する処理を実行させるためのオブジェクトである。
戻るボタン２４５は、前の画面（検索結果表示画面Ｗ２３）に戻るためのオブジェクトである。
【００７４】
ここで、購入希望商品の条件登録画面Ｗ２４の登録ボタン２４４が選択されると、検索条件表示欄２４２に入力された第２条件が、需要者端末３０から商品情報提供システム１０に送信される。
そして、商品情報提供システム１０は、需要者端末３０から受信した第２条件を、需要者ＵＢの識別情報（ＩＤ）に関連付けて希望商品登録テーブルＴ３に記憶する。
【００７５】
次に、図６、図１２及び図１３を参照しながら、供給者端末５０への出品案内処理、及び供給者端末５０による出品登録処理について説明する。
【００７６】
供給者端末５０では、図６に示す供給者用メニュー画面Ｗ１１の出品案内情報の表示アイコン１１２が選択されると、供給者端末５０の表示装置５５には、図１２に示す出品案内画面Ｗ１３が表示される。
図１２に示されるように、出品案内画面Ｗ１３には、ログアウトボタン１３１、購入希望商品の条件表示欄１３２、戻るボタン１３５が含まれる。
【００７７】
ログアウトボタン１３１は、商品情報提供システム１０からログアウトするためのオブジェクトである。
購入希望商品の条件表示欄１３２は、需要者ＵＢが購入希望商品として登録した条件（第２条件）のうち、供給者ＵＡの取扱商品の条件（第１条件）に適合するものを表示する表示欄である。具体的には、商品情報提供システム１０は、希望商品登録テーブルＴ３に記憶される第２条件のうち、供給者ＵＡの識別情報について取扱商品登録テーブルＴ２に記憶される第１条件を満足する第２条件を抽出する。換言すれば、商品情報提供システム１０の抽出部２０は、第２条件の検索条件を包含する第１条件が関連付けられた供給者を抽出する。そして、商品情報提供システム１０は、上記抽出した第２条件を購入希望商品の条件表示欄１３２にリスト化して表示させる。
こうすることで、供給者ＵＡは、自らの取扱商品の範囲内で、需要者ＵＢが購入を希望している商品の情報を知ることができる。
【００７８】
戻るボタン１３５は、前の画面（供給者用メニュー画面Ｗ１１）に戻るためのオブジェクトである。
【００７９】
ここで、出品案内画面Ｗ１３における出品登録ボタン１３３Ａが選択されると、供給者端末５０の表示装置５５には、図１３に示す出品登録画面Ｗ１４が表示される。
【００８０】
図１３に示されるように、出品登録画面Ｗ１４には、ログアウトボタン１４１、出品情報入力欄１４２、戻るボタン１４３、登録ボタン１４４が含まれる。
ログアウトボタン１４１は、商品情報提供システム１０からログアウトするためのオブジェクトである。
【００８１】
出品情報入力欄１４２は、商品情報提供システム１０に出品登録する商品の情報を入力するための入力欄である。出品情報入力欄１４２には、出品登録する商品の複数の属性のそれぞれの値を入力する複数の入力欄を含む。
【００８２】
戻るボタン１４３は、前の画面（出品案内画面Ｗ１３）に戻るためのオブジェクトである。
登録ボタン１４４は、出品情報入力欄１４２に入力された出品登録に係る商品の情報を、商品情報提供システム１０に登録するためのオブジェクトである。
【００８３】
出品登録画面Ｗ１４の登録ボタン１４４が押下されると、供給者端末５０は、出品情報を商品情報提供システム１０に送信する。なお、上記の出品情報は、出品登録画面Ｗ１４の出品情報入力欄１４２で入力された出品登録に係る商品の情報である。
【００８４】
そして、商品情報提供システム１０は、供給者端末５０から受信した出品情報を、出品登録テーブルＴ１に記憶する。
【００８５】
次に、図８、図１４及び図１５を参照しながら、需要者端末３０における購入希望商品の出品状況の確認処理について説明する。
【００８６】
需要者端末３０では、図８に示す需要者用メニュー画面Ｗ２１の購入希望商品の出品状況を確認するための確認アイコン２１２が選択されると、需要者端末３０の表示装置３５には、図１４に示す出品状況確認画面Ｗ２５が表示される。
【００８７】
図１４に示されるように、出品状況確認画面Ｗ２５には、ログアウトボタン２５１、一覧表示領域２５２、戻るボタン２５５が含まれる。
ログアウトボタン２５１は、商品情報提供システム１０からログアウトするためのオブジェクトである。
【００８８】
一覧表示領域２５２は、需要者ＵＢの要求に基づいて登録した第２条件をリスト化して表示する表示欄である。図１４に示す例では、一覧表示領域２５２には、第１表示欄２５３と、第２表示欄２５４を含む。そして、商品情報提供システム１０には、第１表示欄２５３の第２条件を満足する新規出品があり、第２表示欄２５４の第２条件を満足する新規出品はなかったとする。この場合には、第１表示欄２５３に対しては、新規出品がなされたことを示す詳細表示ボタン２５３Ａが表示され、第２表示欄２５４には同様のボタンは表示されない。
これにより、需要者ＵＢは、どの第２条件に対して新規の出品がなされたかを、出品状況確認画面Ｗ２５から容易に把握することができる。
【００８９】
戻るボタン２５５は、前の画面（需要者用メニュー画面Ｗ２１）に戻るためのオブジェクトである。
【００９０】
ここで、出品状況確認画面Ｗ２５の詳細表示ボタン２５３Ａが選択されると、需要者端末３０の表示装置３５には、図１５に示す商品情報表示画面Ｗ２６が表示される。
【００９１】
図１５に示されるように、商品情報表示画面Ｗ２６には、ログアウトボタン２６１、基礎情報表示欄２６２、詳細情報表示欄２６３、問合せボタン２６４、戻るボタン２６５が含まれる。
ログアウトボタン２６１は、商品情報提供システム１０からログアウトするためのオブジェクトである。
【００９２】
基礎情報表示欄２６２は、商品の基礎的な情報を表示する表示欄である。
詳細情報表示欄２６３は、商品の詳細情報を表示する表示欄である。
例えば、商品が車両の部品である場合には、基礎情報表示欄２６２には、部品名称、出品ＩＤ、出品日時の情報が表示され、詳細情報表示欄２６３には、メーカ名称、車種名称、類別型式、型式、商品の状態、商品の画像、商品の所在地等の情報が表示される。
【００９３】
問合せボタン２６４は、商品情報表示画面Ｗ２６に表示された商品についての問い合わせを行うためのオブジェクトである。例えば、問合せボタン２６４が選択された場合には、商品情報表示画面Ｗ２６で表示された商品の出品者に対して、問い合わせを可能としてよい。
戻るボタン２６５は、前の画面（出品状況確認画面Ｗ２５）に戻るためのオブジェクトである。
【００９４】
以上が商品販売システム１における処理の概要である。
上記の商品販売システム１によれば、需要者が購入を希望する商品（購入希望商品）が商品販売システム１に出品登録されていない場合であっても、購入希望商品の情報を商品情報提供システム１０に登録し供給者に商品販売システム１への出品を促すことができる。
これにより、需要者にとっては、購入希望商品を入手する可能性を向上させることができる。
また、供給者にとっては、需要者の購入希望商品のうち、供給者が取り扱う商品についての情報を選択的に取得することができる。これにより、供給者にとっては効率的な情報の入手が可能となる。
【００９５】
［商品情報提供システム１０に備えられる機能の説明］
次に、上記の処理を実現するために商品情報提供システム１０に備えられる機能について説明する。
【００９６】
図１６に示されるように、商品情報提供システム１０は、機能として、供給者情報記憶部１５、出品情報記憶部１６、検索部１７、受付部１８、登録部１９、抽出部２０、通知部２１及び出品情報提供部２２を備える。
【００９７】
商品情報提供システム１０に備えられる上記の各部の機能は、プロセッサ１１が、記憶装置１２に記憶されるプログラム（商品情報提供プログラム）及びデータに基づいて、商品情報提供システム１０の各部を制御することにより実現されるものである。なお、商品情報提供システム１０は、上記の商品情報提供プログラムを、コンピュータ読み取り可能な情報記憶媒体から読み込むこととしてもよいし、インターネットやイントラネット等の通信網を介して受信してもよい。
また、商品情報提供システム１０は、上記の商品情報提供プログラムに基づいて処理を実行することで、本発明に係る商品情報提供方法が実現される。
以下、商品情報提供システム１０に備えられる上記の各部の機能の詳細について説明する。
【００９８】
＜供給者情報記憶部１５の機能の説明＞
供給者情報記憶部１５は、１以上の供給者のそれぞれに関連付けて、当該供給者が取り扱う商品の属性を特定した第１条件を記憶する。
【００９９】
上記の「供給者」とは、商品を販売する者である。また、「供給者」は、商品情報提供システム１０に対して販売する商品の情報を登録する者ともいえる。
【０１００】
上記の「商品」とは、供給者が販売する対象となる物である。「商品」には、供給者が販売する物や、供給者がオークションの形式で出品する物も含まれる。例えば、車両の部品が、上記の「商品」の一例に相当する。
【０１０１】
上記の「供給者が取り扱う商品」とは、供給者が販売する可能性がある商品である。なお、「供給者が取り扱う商品」は、供給者が任意に設定することとしてよい。
【０１０２】
上記の「商品の属性」とは、商品に付随する情報である。例えば、「商品」が車両の部品である場合には、車両のカーメーカー（製造者）、車種名、型式等の情報が「車両の属性」の一例に相当する。
【０１０３】
上記の「第１条件」とは、供給者が取り扱う商品の属性の値を指定した条件である。この「第１条件」は、供給者ごとに設定されるものである。そして、「第１条件」は、供給者が任意に設定するものとしてよい。
【０１０４】
供給者情報記憶部１５は、主に商品情報提供システム１０の記憶装置１２により実現される。
具体的には、商品情報提供システム１０の記憶装置１２は、図３に示される取扱商品登録テーブルＴ２を記憶する。ここで、取扱商品登録テーブルＴ２には、供給者ＩＤごとに、供給者の第１条件が記憶される。
なお、取扱商品登録テーブルＴ２に記憶されるデータは、例えば図７に示す取扱商品条件設定画面Ｗ１２を介して入力されるデータである。
【０１０５】
＜出品情報記憶部１６の機能の説明＞
出品情報記憶部１６は、１以上の供給者のそれぞれに関連付けて、当該供給者が出品する商品の情報を記憶する。
【０１０６】
上記の「出品」とは、供給者が販売する商品の情報を、商品情報提供システム１０に登録することをいう。なお、供給者が販売する商品には、通常の販売の対象とする商品に加えて、オークション形式での販売の対象とする商品も含まれる。
【０１０７】
出品情報記憶部１６は、主に商品情報提供システム１０の記憶装置１２により実現される。
具体的には、商品情報提供システム１０の記憶装置１２は、図２に示される出品登録テーブルＴ１を記憶する。
【０１０８】
＜検索部１７の機能の説明＞
検索部１７は、需要者から受け付けた商品の検索条件に基づいて、出品情報記憶部１６から商品を検索する。なお、検索部１７による処理が、本発明の検索工程に相当する。
【０１０９】
上記の「需要者から受け付けた」とは、需要者の操作を直接受け付けることや、需要者の操作する需要者端末３０からデータを受け付けることを含む。
【０１１０】
上記の「商品の検索条件」とは、例えば所望する商品の少なくとも一つの属性情報の値を指定した条件である。具体的には、商品が車両の部品である場合には、車種名、部品名、型式等を指定した条件が、上記の「検索条件」の一例に相当する。
【０１１１】
なお、商品情報提供システム１０は、例えば図９に示す商品検索画面Ｗ２２を介して入力される情報に基づいて、上記の「検索条件」を取得することとしてよい。
【０１１２】
検索部１７は、主に商品情報提供システム１０のプロセッサ１１、記憶装置１２及び通信用インターフェース１３により実現される。
【０１１３】
具体的には、プロセッサ１１は、通信用インターフェース１３を介して、需要者端末３０から検索条件を受信する。なお、上記の検索条件は、需要者端末３０の表示装置３５に表示される商品検索画面Ｗ２２を介して入力される情報に基づいて設定される。
次に、プロセッサ１１は、上記受信した検索条件を満足する商品を、記憶装置１２に記憶される出品登録テーブルＴ１の中から検索する。
【０１１４】
そして、プロセッサ１１は、検索結果を表示するための画面（例えば検索結果表示画面Ｗ２３）を生成し、その画面データを、通信用インターフェース１３を介して需要者端末３０に送信する。
需要者端末３０では、通信用インターフェース３３を介して受信した画面データに基づいて、表示装置３５に検索結果表示画面Ｗ２３を表示させる。
【０１１５】
＜受付部１８の機能の説明＞
受付部１８は、検索部１７による検索結果の提示後に、需要者の操作に基づいて第２条件の登録要求を受け付ける。
【０１１６】
上記の「検索結果の提示後」とは、検索部１７による検索結果を、供給者端末５０に対して提示した後である。具体的には、検索部１７による検索結果を示す検索結果表示画面Ｗ２３を、需要者端末３０の表示装置３５に表示した後である。
【０１１７】
上記の「需要者の操作」とは、需要者から直接操作を受け付けることや、需要者の操作する需要者端末３０を介して需要者の操作を受け付けることを含む。例えば、需要者端末３０の表示装置３５に表示される検索結果表示画面Ｗ２３の登録ボタン２３３を押下する操作が、上記の「需要者の操作」の一例に相当する。
【０１１８】
上記の「第２条件」とは、需要者が購入を希望する商品の属性を特定した条件である。すなわち、受付部１８は、検索部１７による検索結果の中に、需要者が希望する商品が含まれていない場合に、需要者の希望する商品の属性を特定する第２条件の登録要求を受け付けるものである。
【０１１９】
ここで、例えば第２条件は、検索条件を含むこととしてよい。換言すれば、第２条件は、検索条件と同じであってもよいし、検索条件に対してさらに条件を追加したものであってもよい。ここで、第２条件において、検索条件に対して追加された条件を追加条件とする。
【０１２０】
なお、受付部は、検索条件に追加する追加条件の設定をさらに受け付けることとしてもよい。この場合には、受付部１８は、検索条件と、上記受け付けた追加条件に基づいて第２条件を設定する。
例えば、上記の「追加条件」とは、検索条件とは異なる属性についての条件である。
【０１２１】
受付部１８は、主に商品情報提供システム１０のプロセッサ１１、記憶装置１２及び通信用インターフェース１３により実現される。
【０１２２】
具体的には、プロセッサ１１は、通信用インターフェース１３を介して、需要者端末３０から第２条件の登録要求を受け付ける。より具体的には、検索結果表示画面Ｗ２３における登録ボタン２３３の押下操作がなされると、需要者端末３０は、商品情報提供システム１０に対して、検索条件を含む購入希望商品の条件（第２条件）の登録要求を示すデータを送信する。
そして、プロセッサ１１は、通信用インターフェース１３を介して、需要者端末３０から上記の第２条件の登録要求を示すデータを受信することで、第２条件の登録要求を受け付ける。
【０１２３】
＜登録部１９の機能の説明＞
登録部１９は、検索部１７による検索結果の中に需要者が購入を希望する商品が含まれていない場合に、需要者が購入を希望する商品の属性を特定した第２条件を登録する。なお、登録部１９による処理が、本発明の登録工程に相当する。
【０１２４】
上記の「検索結果の中に需要者が購入を希望する商品が含まれていない場合」とは、検索部１７により検索された商品の中に、需要者が購入を希望する商品が含まれていない場合である。例えば、検索部１７による検索結果が０件であった場合や、検索部１７による検索結果が１件以上あった場合であっても、需要者が購入を希望する商品がないと判断した場合が相当する。
なお、後者の場合は、例えば検索結果表示画面Ｗ２３の登録ボタン２３３を押下する操作を行ったことで、検索部１７の検索結果の中に、需要者が購入を希望する商品が含まれていないことを判定できる。
【０１２５】
また、登録部１９は、検索条件に該当する商品が無かった場合に、検索条件を第２条件として登録することとしてもよい。
すなわち、検索部１７による検索条件に合致する商品数が０件であった場合には、その検索条件を、第２条件として登録することとしてよい。
【０１２６】
登録部１９は、主に商品情報提供システム１０のプロセッサ１１及び記憶装置１２により実現される。
【０１２７】
具体的には、プロセッサ１１は、第２条件の登録要求を受け付けると、通信用インターフェース１３を介して、購入希望商品の条件登録画面Ｗ２４の画面データを、需要者端末３０に対して送信する。
【０１２８】
次に、購入希望商品の条件登録画面Ｗ２４の条件入力欄２４１への情報入力後に、登録ボタン２４４の押下操作がなされると、需要者端末３０は、商品情報提供システム１０に条件入力欄２４１に入力された情報に基づく第２条件を送信する。これにより、商品情報提供システム１０のプロセッサ１１は、需要者端末３０から第２条件を受け付ける。
【０１２９】
そして、プロセッサ１１は、需要者端末３０から受け付けた第２条件を、需要者ＵＢの識別情報（需要者ＩＤ）に関連付けて、希望商品登録テーブルＴ３に登録する。
【０１３０】
＜抽出部２０の機能の説明＞
抽出部２０は、供給者情報記憶部１５から第２条件に適合する第１条件が関連付けられた供給者を抽出する。なお、抽出部２０による処理が、本発明の抽出工程に相当する。
【０１３１】
上記の「第２条件に適合する第１条件」とは、第２条件を包含する第１条件である。すなわち、第２条件を満たす商品が、第１条件を満たす関係にある場合に、その第１条件は「第２条件に適合する第１条件」となる。
【０１３２】
そして、抽出部２０は、供給者情報記憶部１５において、「第２条件に適合する第１条件」が関連付けられた供給者を抽出する。換言すれば、抽出部２０は、検索条件を包含する第１条件が関連付けられた供給者を抽出するものである。
【０１３３】
抽出部２０は、主に商品情報提供システム１０のプロセッサ１１及び記憶装置１２により実現される。
【０１３４】
具体的には、プロセッサ１１は、希望商品登録テーブルＴ３に記憶される第２条件に基づき、取扱商品登録テーブルＴ２に記憶される第１条件のうち、上記の第２条件に包含される第１条件を抽出する。
そして、プロセッサ１１は、上記抽出した第１条件について取扱商品登録テーブルＴ２に関連付けて記憶される供給者ＩＤを抽出する。
なお、プロセッサ１１は、希望商品登録テーブルＴ３に記憶される各第２条件について、対象の供給者ＩＤを抽出することとしてよい。
【０１３５】
＜通知部２１の機能の説明＞
通知部２１は、抽出部２０により抽出した供給者に対して、第２条件に基づいて商品の出品を案内するための出品案内情報を通知する。なお、通知部２１による処理が、本発明の通知工程に相当する。
【０１３６】
上記の「商品の出品を案内するための出品案内情報」とは、供給者に対して、効果的な出品を促すための情報である。例えば、供給者の取り扱う商品のうち、需要者が購入を希望している商品の属性情報を教示する情報が、上記の「出品案内情報」に相当する。
具体的には、第２条件を表示する情報が、上記の「出品案内情報」の一例に相当する。より具体的には、図１２に示す出品案内画面Ｗ１３の購入希望商品の条件表示欄１３２に表示される情報が、上記の「出品案内情報」の一例に相当する。
【０１３７】
上記の「通知する」ことは、商品情報提供システム１０が供給者端末５０の表示装置５５に出品案内情報を表示させる態様を含む。また、上記の「通知する」ことは、商品情報提供システム１０が供給者端末５０に出品案内情報を電子メール等で送信する態様を含む。また、上記の「通知する」ことは、商品情報提供システム１０が供給者端末５０に出品案内情報があること（更新されたこと）を知らせる態様を含む。
【０１３８】
通知部２１は、主に商品情報提供システム１０のプロセッサ１１、記憶装置１２及び通信用インターフェース１３により実現される。
【０１３９】
具体的には、プロセッサ１１は、第２条件について、抽出部２０により抽出された供給者ＩＤの供給者に対して、当該第２条件を通知する。
より具体的には、プロセッサ１１は、第２条件について抽出された供給者ＩＤに対し、第２条件を含む出品案内画面Ｗ１３を生成し、生成した出品案内画面Ｗ１３を供給者端末５０に送信する。そして、供給者端末５０は、表示装置５５に出品案内画面Ｗ１３を表示する。
これにより、商品情報提供システム１０は、供給者に対し、当該供給者が取り扱う商品のうち、需要者が購入を希望する商品についての情報を供給者に通知することができる。
【０１４０】
＜出品情報提供部２２の機能の説明＞
出品情報提供部２２は、第２条件を満足する商品が出品情報記憶部１６に登録された場合に、需要者に第２条件を満足する商品の情報を提供する。
【０１４１】
上記の「第２条件を満足する商品」とは、第２条件に示される商品の属性情報に関する条件を満足する商品である。例えば、第２条件が複数の属性に関する条件を含む場合には、その全ての条件を満足する商品が上記の「第２条件を満足する商品」に相当する。
【０１４２】
上記の「商品の情報を提供する」とは、商品情報提供システム１０が、第２条件を満足する商品について出品情報記憶部１６に記憶される少なくとも一部の情報を、供給者端末５０に提供することである。具体的には、商品情報提供システム１０が、図１５に示す商品情報表示画面Ｗ２６を供給者端末５０の表示装置５５に表示させることが、上記の「商品の情報を提供する」ことの一例に相当する。
【０１４３】
出品情報提供部２２は、主に商品情報提供システム１０のプロセッサ１１、記憶装置１２及び通信用インターフェース１３により実現される。
【０１４４】
具体的には、プロセッサ１１は、出品登録テーブルＴ１に新規登録された商品が、希望商品登録テーブルＴ３に記憶される第２条件を満足するか否かを判定する。そして、プロセッサ１１は、第２条件を満足すると判定した場合には、希望商品登録テーブルＴ３において第２条件と関連付けられた需要者に対して、上記の新規登録された商品の情報を提供する。
【０１４５】
より具体的には、プロセッサ１１は、需要者が登録した第２条件を満たす商品が新規出品された場合には、需要者端末３０の表示装置３５に表示される出品状況確認画面Ｗ２５において、第２条件に対応付けて詳細表示ボタン２５３Ａを表示させる。そして、詳細表示ボタン２５３Ａが選択された場合には、需要者端末３０の表示装置３５に、上記の第２条件を満たす商品の情報を表示する商品情報表示画面Ｗ２６を表示させる。
【０１４６】
［商品販売システム１において実行される処理の流れ］
次に、図１７乃至図２１を参照しながら、商品販売システム１において実行される処理の流れについて説明する。
【０１４７】
＜供給者の取扱商品情報の登録処理＞
まず、図１７のシーケンス図を参照しながら、供給者端末５０と商品情報提供システム１０により実行される、供給者の取扱商品情報の登録処理について説明する。
【０１４８】
図１７に示されるように、供給者端末５０のプロセッサ５１は、通信用インターフェース５３を介して供給者ＵＡのログイン情報を、商品情報提供システム１０に対して送信する（Ｓ５０１）。
【０１４９】
商品情報提供システム１０のプロセッサ１１は、通信用インターフェース１３を介して供給者端末５０から供給者ＵＡのログイン情報を受信すると（Ｓ１０１）、受信したログイン情報に基づいて認証処理を実行する（Ｓ１０２）。本例では、認証が成功したこととして説明を続ける。
【０１５０】
次に、商品情報提供システム１０のプロセッサ１１は、例えば図６に示す供給者用メニュー画面Ｗ１１を表示するためのメニュー画面データを、通信用インターフェース１３を介して供給者端末５０に送信する（Ｓ１０３）。
【０１５１】
供給者端末５０のプロセッサ５１は、通信用インターフェース５３を介して、商品情報提供システム１０からメニュー画面データを受信する（Ｓ５０２）。すると、プロセッサ５１は、上記受信したメニュー画面データに基づいて、表示装置５５にメニュー画面（例えば供給者用メニュー画面Ｗ１１）を表示する（Ｓ５０３）。
【０１５２】
次に、供給者端末５０のプロセッサ５１は、入力装置５４を介して供給者用メニュー画面Ｗ１１における取扱商品の設定アイコン１１１の選択操作を受け付ける。すると、プロセッサ５１は、通信用インターフェース５３を介して、商品情報提供システム１０に対し取扱商品条件設定画面Ｗ１２の送信を要求する（Ｓ５０４）。
【０１５３】
次に、商品情報提供システム１０のプロセッサ１１は、通信用インターフェース１３を介して取扱商品条件設定画面Ｗ１２の送信要求を受け付ける（Ｓ１０４）。すると、プロセッサ１１は、取扱商品条件設定画面Ｗ１２を表示するための画面データを、通信用インターフェース１３を介して供給者端末５０に送信する（Ｓ１０５）。
【０１５４】
供給者端末５０のプロセッサ５１は、通信用インターフェース５３を介して取扱商品条件設定画面Ｗ１２を表示するための画面データを受信する（Ｓ５０５）。すると、プロセッサ５１は、上記受信した画面データに基づいて、表示装置５５に取扱商品条件設定画面Ｗ１２を表示する（Ｓ５０６）。
【０１５５】
次に、供給者端末５０のプロセッサ５１は、取扱商品条件設定画面Ｗ１２を介して、供給者ＵＡの取扱商品の条件を定めた第１条件の入力を受け付ける（Ｓ５０７）。すると、プロセッサ５１は、上記受け付けた第１条件を、通信用インターフェース５３を介して商品情報提供システム１０に送信する（Ｓ５０８）。
【０１５６】
商品情報提供システム１０のプロセッサ１１は、通信用インターフェース１３を介して供給者端末５０から供給者ＵＡの第１条件を受信する（Ｓ１０６）。すると、プロセッサ１１は、供給者ＵＡの識別情報に関連付けて第１条件を供給者データベースＤ２（取扱商品登録テーブルＴ２）に登録する（Ｓ１０７）。
以上が、供給者の取扱商品情報の登録処理である。
【０１５７】
＜商品検索処理と購入希望商品の登録処理＞
次に、図１８及び図１９を参照しながら、需要者端末３０と商品情報提供システム１０により実行される、商品検索処理と購入希望商品の登録処理について説明する。
【０１５８】
図１８に示されるように、需要者端末３０のプロセッサ３１は、通信用インターフェース３３を介して需要者ＵＢのログイン情報を、商品情報提供システム１０に対して送信する（Ｓ３０１）。
【０１５９】
商品情報提供システム１０のプロセッサ１１は、通信用インターフェース１３を介して需要者端末３０から需要者ＵＢのログイン情報を受信する（Ｓ１１１）。すると、プロセッサ１１は、受信したログイン情報に基づいて認証処理を実行する（Ｓ１１２）。本例では、認証が成功したこととして説明を続ける。
【０１６０】
次に、商品情報提供システム１０のプロセッサ１１は、例えば図８に示す需要者用メニュー画面Ｗ２１を表示するためのメニュー画面データを、通信用インターフェース１３を介して需要者端末３０に送信する（Ｓ１１３）。
【０１６１】
需要者端末３０のプロセッサ３１は、通信用インターフェース３３を介して、商品情報提供システム１０からメニュー画面データを受信する（Ｓ３０２）。すると、プロセッサ３１は、受信したメニュー画面データに基づいて、表示装置３５にメニュー画面（例えば需要者用メニュー画面Ｗ２１）を表示する（Ｓ３０３）。
【０１６２】
次に、需要者端末３０のプロセッサ３１は、入力装置３４を介して需要者用メニュー画面Ｗ２１における部品検索アイコン２１１の選択操作を受け付ける。すると、プロセッサ３１は、通信用インターフェース３３を介して、商品情報提供システム１０に対し商品検索画面Ｗ２２の送信を要求する（Ｓ３０４）。
【０１６３】
次に、商品情報提供システム１０のプロセッサ１１は、通信用インターフェース１３を介して商品検索画面Ｗ２２の送信要求を受け付ける（Ｓ１１４）。すると、プロセッサ１１は、商品検索画面Ｗ２２を表示するための画面データを、通信用インターフェース１３を介して需要者端末３０に送信する（Ｓ１１５）。
【０１６４】
需要者端末３０のプロセッサ３１は、通信用インターフェース３３を介して商品検索画面Ｗ２２を表示するための画面データを受信する（Ｓ３０５）。すると、プロセッサ３１は、受信した画面データに基づいて表示装置３５に商品検索画面Ｗ２２を表示する（Ｓ３０６）。
【０１６５】
次に、需要者端末３０のプロセッサ３１は、商品検索画面Ｗ２２を介して、商品の検索条件の入力を受け付ける（Ｓ３０７）。すると、プロセッサ３１は、受け付けた検索条件を、通信用インターフェース３３を介して商品情報提供システム１０に送信する（Ｓ３０８）。
【０１６６】
商品情報提供システム１０のプロセッサ１１は、通信用インターフェース１３を介して需要者端末３０から検索条件を受信する（Ｓ１１６）。すると、プロセッサ１１は、出品データベースＤ１（出品登録テーブルＴ１）から検索条件を満足する商品の検索を実行する（Ｓ１１７）。なお、Ｓ１１７が、商品情報提供システム１０により実行される検索工程に相当する。
そして、商品情報提供システム１０のプロセッサ１１は、検索結果を表示する検索結果表示画面Ｗ２３の画面データを、通信用インターフェース１３を介して需要者端末３０に送信する（Ｓ１１８）。
【０１６７】
需要者端末３０のプロセッサ３１は、通信用インターフェース３３を介して、検索結果表示画面Ｗ２３の画面データを受信する（Ｓ３０９）。すると、プロセッサ３１は、受信した画面データに基づいて表示装置３５に検索結果表示画面Ｗ２３を表示する（Ｓ３１０）。
Ｓ３１０以降の処理については図１９のシーケンス図を参照しながら説明する。
【０１６８】
図１９に示されるように、需要者端末３０のプロセッサ３１は、検索結果表示画面Ｗ２３を介して、需要者ＵＢが購入希望商品を登録するための登録ボタン２３３の選択操作を受け付ける（Ｓ３１１）。すると、プロセッサ３１は、購入希望商品の条件である第２条件の登録を、通信用インターフェース３３を介して商品情報提供システム１０に対して要求する（Ｓ３１２）。
【０１６９】
商品情報提供システム１０のプロセッサ１１は、通信用インターフェース１３を介して需要者端末３０から第２条件の登録要求を受け付ける（Ｓ１１９）。すると、プロセッサ１１は、第２条件を登録するための購入希望商品の条件登録画面Ｗ２４の画面データを、需要者端末３０に送信する（Ｓ１２０）。
【０１７０】
次に、需要者端末３０のプロセッサ３１は、通信用インターフェース３３を介して購入希望商品の条件登録画面Ｗ２４の画面データを受信する（Ｓ３１３）。すると、プロセッサ３１は、受信した画面データに基づいて、購入希望商品の条件登録画面Ｗ２４を表示装置３５に表示する（Ｓ３１４）。
【０１７１】
次に、需要者端末３０のプロセッサ３１は、購入希望商品の条件登録画面Ｗ２４を介して第２条件の入力を受け付ける（Ｓ３１５）。さらに、プロセッサ３１は、購入希望商品の条件登録画面Ｗ２４の登録ボタン２４４の選択操作を受け付ける。すると、プロセッサ３１は、入力された第２条件を商品情報提供システム１０に対して送信する（Ｓ３１６）。
【０１７２】
商品情報提供システム１０のプロセッサ１１は、通信用インターフェース１３を介して需要者ＵＢの第２条件を受信する（Ｓ１２１）。すると、プロセッサ１１は、需要者ＵＢの識別情報に関連付けて第２条件を希望商品データベースＤ３（希望商品登録テーブルＴ３）に登録する（Ｓ１２２）。
以上が商品検索処理と購入希望商品の登録処理である。
【０１７３】
＜出品案内処理と出品登録処理＞
次に、図２０に示されるシーケンス図を参照しながら、需要者の購入希望商品の情報を供給者に提供する処理（出品案内処理）及び出品登録処理について説明する。
【０１７４】
図２０に示されるように、供給者端末５０のプロセッサ５１は、入力装置５４を介して供給者用メニュー画面Ｗ１１における出品案内情報の表示アイコン１１２の選択操作を受け付ける。すると、プロセッサ５１は、通信用インターフェース５３を介して、商品情報提供システム１０に対し出品案内画面Ｗ１３の送信を要求する（Ｓ５１１）。
【０１７５】
次に、商品情報提供システム１０のプロセッサ１１は、通信用インターフェース１３を介して出品案内画面Ｗ１３の送信要求を受け付ける（Ｓ１３１）。すると、プロセッサ１１は、供給者ＵＡに対する出品案内情報を生成する（Ｓ１３２）。
具体的には、商品情報提供システム１０のプロセッサ１１は、供給者ＵＡの識別情報（供給者ＩＤ）に関連付けて、取扱商品登録テーブルＴ２に記憶される第１条件を読み出す。そして、商品情報提供システム１０のプロセッサ１１は、希望商品登録テーブルＴ３に記憶される第２条件のうち、上記読み出した供給者ＵＡの第１条件に適合する第２条件を抽出する。そして、商品情報提供システム１０のプロセッサ１１は、上記抽出した第２条件のリストを出品案内情報として生成する。なお、出品案内画面Ｗ１３は、出品案内情報を表示するための画面であり、出品案内情報に基づいて生成される。
【０１７６】
そして、商品情報提供システム１０のプロセッサ１１は、出品案内画面Ｗ１３を表示するための画面データを、通信用インターフェース１３を介して供給者端末５０に送信する（Ｓ１３３）。
【０１７７】
供給者端末５０のプロセッサ５１は、通信用インターフェース５３を介して出品案内画面Ｗ１３を表示するための画面データを受信する（Ｓ５１２）。すると、プロセッサ５１は、受信した画面データに基づいて表示装置５５に出品案内画面Ｗ１３を表示する（Ｓ５１３）。
【０１７８】
次に、供給者端末５０のプロセッサ５１は、出品案内画面Ｗ１３を介して、出品の登録操作（例えば出品登録ボタン１３３Ａの選択）を受け付ける（Ｓ５１４）。すると、プロセッサ５１は、通信用インターフェース５３を介して商品情報提供システム１０に対して、出品登録を要求する（Ｓ５１５）。
【０１７９】
商品情報提供システム１０のプロセッサ１１は、通信用インターフェース１３を介して供給者端末５０から出品登録の要求を受け付ける（Ｓ１３４）。すると、プロセッサ１１は、出品登録画面Ｗ１４を表示するための画面データ（出品登録画面データ）を、供給者端末５０に対して送信する（Ｓ１３５）。
【０１８０】
供給者端末５０のプロセッサ５１は、通信用インターフェース５３を介して、出品登録画面データを受信する（Ｓ５１６）。すると、プロセッサ５１は、受信した出品登録画面データに基づいて表示装置５５に出品登録画面Ｗ１４を表示する（Ｓ５１７）。
【０１８１】
供給者端末５０のプロセッサ５１は、出品登録画面Ｗ１４を介して出品情報の登録を受け付ける（Ｓ５１８）。さらに、プロセッサ５１は、出品登録画面Ｗ１４における登録ボタン１４４の操作を受け付ける。すると、プロセッサ５１は、出品登録画面Ｗ１４に入力された商品を出品物として登録するための出品情報を、通信用インターフェース５３を介して商品情報提供システム１０に送信する（Ｓ５１９）。
【０１８２】
商品情報提供システム１０のプロセッサ１１は、通信用インターフェース１３を介して、供給者端末５０から出品情報を受信する（Ｓ１３６）。すると、プロセッサ１１は、受信した出品情報を出品登録テーブルＴ１に登録する（Ｓ１３７）。
以上が、商品販売システム１において実行される出品案内処理及び出品登録処理の流れである。
また、供給者端末５０ではＳ５１９の後に再び出品案内画面Ｗ１３を表示させて、他の商品の出品登録を継続するようにしてもよい。
【０１８３】
＜出品状況確認処理＞
次に、図２１のシーケンス図を参照しながら、需要者端末３０と商品情報提供システム１０により実行される、需要者が購入希望商品に対する出品状況を確認するための処理（出品状況確認処理）について説明する。
【０１８４】
図２１に示されるように、需要者端末３０のプロセッサ３１は、入力装置３４を介して需要者用メニュー画面Ｗ２１における確認アイコン２１２の選択操作を受け付ける。すると、プロセッサ３１は、通信用インターフェース３３を介して、商品情報提供システム１０に対し出品状況確認画面Ｗ２５を要求する（Ｓ３２１）。
【０１８５】
次に、商品情報提供システム１０のプロセッサ１１は、通信用インターフェース１３を介して出品状況確認画面Ｗ２５の要求を受け付ける（Ｓ１４１）。すると、プロセッサ１１は、出品状況確認画面Ｗ２５を表示するための画面データ（出品状況確認画面データ）を生成する（Ｓ１４２）。
【０１８６】
具体的には、商品情報提供システム１０のプロセッサ１１は、需要者ＵＢの識別情報に関連付けて、希望商品登録テーブルＴ３に記憶される第２条件を読み出す。そして、商品情報提供システム１０のプロセッサ１１は、出品登録テーブルＴ１の中から上記読み出した第２条件に合致する商品を抽出し、抽出した商品の情報に基づいて出品状況確認画面データを生成する。
なお、商品情報提供システム１０のプロセッサ１１は、出品登録テーブルＴ１の商品のうち、出品日時が、第２条件の登録日以後である商品の中から、上記の第２条件に合致する商品を抽出するようにしてもよい。これにより、需要者ＵＢが既に確認した商品を排除することが可能となる。
【０１８７】
そして、商品情報提供システム１０のプロセッサ１１は、通信用インターフェース１３を介して、出品状況確認画面データを需要者端末３０に送信する（Ｓ１４３）。
【０１８８】
需要者端末３０のプロセッサ３１は、通信用インターフェース３３を介して出品状況確認画面データを受信する（Ｓ３２２）。すると、プロセッサ３１は、受信した出品状況確認画面データに基づいて表示装置３５に出品状況確認画面Ｗ２５を表示する（Ｓ３２３）。
なお、図１４に示されるように、出品状況確認画面Ｗ２５においては、需要者ＵＢについて登録された第２条件のうち、新規出品があるものについては詳細表示ボタン２５３Ａが対応付けて表示される。
【０１８９】
次に、需要者端末３０のプロセッサ３１は、出品状況確認画面Ｗ２５における詳細表示ボタン２５３Ａの選択操作により、商品の選択を受け付ける（Ｓ３２４）。すると、プロセッサ３１は、受け付けた商品の詳細情報を、通信用インターフェース３３を介して商品情報提供システム１０に要求する（Ｓ３２５）。
【０１９０】
商品情報提供システム１０のプロセッサ１１は、通信用インターフェース１３を介して需要者端末３０から商品の詳細情報の要求を受け付ける（Ｓ１４４）。すると、プロセッサ１１は、出品データベースＤ１（出品登録テーブルＴ１）から、上記の要求に係る商品の情報を読み出し、読み出した商品の情報を表示するための商品情報表示画面データを需要者端末３０に送信する（Ｓ１４５）。
【０１９１】
需要者端末３０のプロセッサ３１は、通信用インターフェース３３を介して、商品情報表示画面データを受信する（Ｓ３２６）。すると、プロセッサ３１は、受信した商品情報表示画面データに基づいて表示装置３５に商品情報表示画面Ｗ２６を表示する（Ｓ３２７）。
【０１９２】
以上が、需要者ＵＢに対し、需要者ＵＢが登録した購入希望商品の条件（第２条件）に合致する商品の情報を提供する処理の流れである。
【０１９３】
［商品情報提供システム１０により奏される効果］
以上説明した商品情報提供システム１０によれば、需要者が購入を希望している商品の出品を案内する出品案内情報を、当該商品を取り扱う供給者に対して提供することができる。
これにより、需要者にとっては、購入を希望している商品がその後出品され易くなることで、希望の商品を入手できる可能性が向上する。また、商品の供給者にとっては、取扱対象の商品のうちで需要のある商品を知ることができ、効果的な出品を行うことが可能となる。
【０１９４】
また、商品情報提供システム１０は、需要者が設定した検索条件に基づく商品の検索結果の中に、需要者が購入を希望する商品が含まれているか否かを精度良く判定できる。
また、商品情報提供システム１０は、需要者が設定した検索条件を満足する商品の出品を案内するための出品案内情報を、その商品を取り扱う供給者に対して提供することができる。
【０１９５】
また、商品情報提供システム１０は、需要者が設定した検索条件に対して条件を加えて第２条件を設定可能とすることで、需要者にとっては、購入を希望する商品をより詳細に特定することができる。また、供給者にとっては、需要者が購入を希望する商品の条件をより詳細に把握することができる。
【０１９６】
また、商品情報提供システム１０は、需要者が購入を希望する商品が出品されていない場合に、その商品の出品を案内するための出品案内情報を、その商品を取り扱う可能性のある供給者に対して提供することができる。
【０１９７】
また、商品情報提供システム１０は、需要者が購入を希望する商品が、供給者から出品された場合に、その旨を需要者に知らせることができる。これにより、需要者は、購入を希望する商品が出品されたことを即時に知ることができる。
【０１９８】
［その他の実施形態］
本発明は、上記の実施形態に限定されるものではない。例えば、商品販売システム１において、第２条件には、購入希望金額を含めるようにして、供給者側が、販売先の需要者を選択する所謂逆オークションを行うようにしてもよい。
【０１９９】
また、商品情報提供システム１０は、需要者が登録した第２条件に合致する商品が出品登録された場合に、その旨を需要者に向けてプッシュ送信してもよい。
【０２００】
また、商品情報提供システム１０は、１台のコンピュータで構成されてもよいし、複数台のコンピュータにより構成されてもよい。
【符号の説明】
【０２０１】
１  商品販売システム
１０  商品情報提供システム
１１  プロセッサ
１２  記憶装置
１３  通信用インターフェース
１５  供給者情報記憶部
１６  出品情報記憶部
１７  検索部
１８  受付部
１９  登録部
２０  抽出部
２１  通知部
２２  出品情報提供部
３０  需要者端末
３１  プロセッサ
３２  記憶装置
３３  通信用インターフェース
３４  入力装置
３５  表示装置
５０  供給者端末
５１  プロセッサ
５２  記憶装置
５３  通信用インターフェース
５４  入力装置
５５  表示装置
１１１  取扱商品の設定アイコン
１１２  出品案内情報の表示アイコン
１１３  出品登録アイコン
１１４  ログアウトボタン
１２１  ログアウトボタン
１２２  情報入力欄
１２２−１  第１入力欄
１２２−２  第２入力欄
１２２−３  第３入力欄
１２３  決定ボタン
１２４  キャンセルボタン
１３１  ログアウトボタン
１３２  購入希望商品の条件表示欄
１３３  第１表示欄
１３３Ａ  出品登録ボタン
１３４  第２表示欄
１３４Ａ  出品登録ボタン
１３５  戻るボタン
１４１  ログアウトボタン
１４２  出品情報入力欄
１４３  戻るボタン
１４４  登録ボタン
２１１  部品検索アイコン
２１２  確認アイコン
２１３  ログアウトボタン
２２１  情報入力欄
２２２  決定ボタン
２２３  戻るボタン
２３１  検索条件表示欄
２３２  検索結果表示欄
２３３  登録ボタン
２３４  戻るボタン
２４１  条件入力欄
２４２  検索条件表示欄
２４３  追加条件入力欄
２４４  登録ボタン
２４５  戻るボタン
２５１  ログアウトボタン
２５２  一覧表示領域
２５３  第１表示欄
２５３Ａ  詳細表示ボタン
２５４  第２表示欄
２５５  戻るボタン
２６１  ログアウトボタン
２６２  基礎情報表示欄
２６３  詳細情報表示欄
２６４  問合せボタン
２６５  戻るボタン
Ｄ１  出品データベース
Ｄ２  供給者データベース
Ｄ３  希望商品データベース
ＵＡ  供給者
ＵＢ  需要者
Ｔ１  出品登録テーブル
Ｔ２  取扱商品登録テーブル
Ｔ３  希望商品登録テーブル
Ｗ１１  供給者用メニュー画面
Ｗ１２  取扱商品条件設定画面
Ｗ１３  出品案内画面
Ｗ１４  出品登録画面
Ｗ２１  需要者用メニュー画面
Ｗ２２  商品検索画面
Ｗ２３  検索結果表示画面
Ｗ２４  購入希望商品の条件登録画面
Ｗ２５  出品状況確認画面
Ｗ２６  商品情報表示画面
【図１】
2019003376.tif 000003
【図２】
2019003376.tif 000004
【図３】
2019003376.tif 000005
【図４】
2019003376.tif 000006
【図５】
2019003376.tif 000007
【図６】
2019003376.tif 000008
【図７】
2019003376.tif 000009
【図８】
2019003376.tif 000010
【図９】
2019003376.tif 000011
【図１０】
2019003376.tif 000012
【図１１】
2019003376.tif 000013
【図１２】
2019003376.tif 000014
【図１３】
2019003376.tif 000015
【図１４】
2019003376.tif 000016
【図１５】
2019003376.tif 000017
【図１６】
2019003376.tif 000018
【図１７】
2019003376.tif 000019
【図１８】
2019003376.tif 000020
【図１９】
2019003376.tif 000021
【図２０】
2019003376.tif 000022
【図２１】
2019003376.tif 000023